(57)【特許請求の範囲】
【請求項１】
表示装置と複数のボタンとを備え、複数の設定項目の設定値が前記表示装置及び前記複数のボタンを用いて設定可能に構成されるとともに、前記複数の設定項目のうち、一部の設定項目について設定値の変更を不可とする保護モード機能を備えた制御装置であって、
前記保護モード時に設定値の変更が可能な所定の設定項目に、前記表示装置及び前記複数のボタンを用いて、エラー入力となる設定不可の所定の設定値を入力することで前記保護モードを解除する手段を備えたことを特徴とする制御装置。
【請求項２】
前記設定不可の所定の設定値を所定の順番で複数の回数入力することで前記保護モードを解除することを特徴とする請求項１に記載の制御装置。
【請求項３】
前記設定項目の設定値の変更をする設定モードを終了すると再度前記保護モードが働くことを特徴とする請求項１又は２に記載の制御装置。
【請求項４】
前記保護モードを複数階層備え、前記設定不可の所定の入力設定値として、前記複数階層にそれぞれ対応した数値を入力することで、個別の設定項目の保護モードの解除を行うことを特徴とする請求項１乃至３のいずれかに記載の制御装置。
【請求項５】
前記保護モード機能により設定値の変更ができない設定項目は前記表示装置に表示させないことを特徴とする請求項１乃至４のいずれかに記載の制御装置。
【発明の詳細な説明】
【０００１】
【発明の属する技術分野】
本発明は、制御装置に係り、特にポンプ等の回転機器の制御装置の複数の設定項目のうち、一部の設定項目について書換を不可、又は表示を不可とするような、設定の変更を不特定者が不可能とする保護モードを備えた制御装置に関する。
【０００２】
【従来の技術】
例えば、ポンプを備えた給水装置には、ポンプの吐出圧力を調整する機能、ポンプの運転機を選択する機能、ポンプに流れる水量に対応してポンプを１台運転又は２台運転に切り替える機能、ポンプを駆動するモータに過電流が流れた場合には直ちにポンプの運転を停止する機能等の様々な機能を備えている。
【０００３】
これらの機能の内、その動作の基準となる例えば定格電流値やポンプの温度保護設定値等は、一般のユーザが適当に変更することは好ましくない。即ち、定格電流値はポンプを駆動するモータの電流が定格電流値を超えた場合には、過負荷となるのでこれに対して警報を発する。温度保護設定値は、何らかの異常によりポンプの温度が所定以上の温度に達した場合に警報を発するものである。これらの設定値は、給水装置に固有の設定値であり、何らかの原因でその設定値が変更されると、その運転に重大な支障を生じる恐れがある。
【０００４】
上述したように、例えばポンプを備えた給水装置には各種の設定項目があるが、これらの設定項目の内には、ユーザが任意に書換が可能なもの、ユーザが任意に設定すると具合が悪いので、保護モードが設定されて給水装置のメーカのメンテナンス要員等の特定者のみが書換可能な項目等、種々の設定項目がある。これらの保護モードの解除方法としては、表１に示すように設定コードの内、保護モードを選択する項目を設けるという方法がある。
【０００５】
【表１】
0004480860.tif 000002
【０００６】
これは、設定コードとして例えばＰ００を設定し、入力値に０を入れると保護モードの設定となり、１を入れると保護モードが解除される。これにより、入力値を入れることで、保護モードとするか、保護モードを解除して任意に書換可能にするかを選択することが可能となる。しかしながら、この場合にはユーザ側において、任意の項目を保護モードの設定とするか、或いは任意に保護モードを解除するかを決定することができる。そして、例えば上述した給水装置として固有のモータの定格電流値や温度保護設定値等の設定項目までユーザ側の不特定者で書換が可能となってしまうという問題がある。
【０００７】
このため、一般のユーザ側の不特定者で保護モードの解除が不可能であり、メンテナンスの担当者等特定者のみが可能とするような保護モードの解除方法がある。この方法として、例えば特定の操作ボタンを長く押し続けるという方法がある。この方法は、あまり長く押しすぎると保護モードの解除に時間がかかるし、短いと偶然解除される可能性がある。又、運転に支障がなく長く押し続けられるボタンを特定するのが難しいという問題もある。更に又、表示切り替えボタン等をこの保護モード解除のボタンとして用いると、表示が切り替わってしまうし、使い勝手を損なうこととなる。又、確認ボタンをこの保護モードの解除のボタンに選択すると、誤って間違った設定値を確定してしまう恐れがある。
【０００８】
更に、保護モードの解除方法としては、複数の操作ボタンを同時に押すという方法がある。この保護モードの解除方法は、例えばポンプの運転制御装置が運転中には、それぞれのボタンの機能が何らかの運転動作に関係しているので、運転に全く支障をきたすことなく同時に押せるボタンを特定することが難しい。又、同時に押すボタンに「停止」ボタンを含めると、装置の運転が停止してしまい、装置の運転を継続しながら保護モードを解除する必要が生じたときには、その対応が困難である。即ち、この方法は実質上ポンプが制御装置の運転停止状態でないと実施が不可能である。
【０００９】
【発明が解決しようとする課題】
本発明は、上述した事情に鑑みてなされたもので、不特定者が間違って保護モードを解除することなく、且つ必要に応じて簡単に、且つ特定者のみが確実に保護モードを解除することができる制御装置を提供することを目的とする。
【００１０】
【課題を解決するための手段】
請求項１に記載の発明は、表示装置と複数のボタンとを備え、複数の設定項目の設定値が前記表示装置及び前記複数のボタンを用いて設定可能に構成されるとともに、前記複数の設定項目のうち、一部の設定項目について設定値の変更を不可とする保護モード機能を備えた制御装置であって、前記保護モード時に設定値の変更が可能な所定の設定項目に、前記表示装置及び前記複数のボタンを用いて、エラー入力となる設定不可の所定の設定値を入力することで前記保護モードを解除する手段を備えたことを特徴とする制御装置である。
【００１１】
請求項２に記載の発明は、前記設定不可の所定の設定値を所定の順番で複数の回数入力することで前記保護モードを解除することを特徴とする請求項１に記載の制御装置である。
また、請求項３に記載の発明は、前記設定項目の設定値の変更をする設定モードを終了すると再度前記保護モードが働くことを特徴とする請求項１又は２に記載の制御装置である。
また、請求項４に記載の発明は、前記保護モードを複数階層備え、前記設定不可の所定の入力設定値として、前記複数階層にそれぞれ対応した数値を入力することで、個別の設定項目の保護モードの解除を行うことを特徴とする請求項１乃至３のいずれかに記載の制御装置である。
また、請求項５に記載の発明は、前記保護モード機能により設定値の変更ができない設定項目は前記表示装置に表示させないことを特徴とする請求項１乃至４のいずれかに記載の制御装置である。
【００１２】
本発明の制御装置は、保護モードの解除に設定不可の所定の設定入力値を入力し、入力エラーを起こすことで、保護モードを解除することができるようにしたものである。これにより、一般のユーザ等の不特定者は入力エラーを起こす入力設定値を入力することがないので、その不特定者が誤って保護モードを解除してしまうということが防止される。又、装置のメンテナンスにたずさわる者等の特定者が保護モードを解除する必要がある場合には、所定の入力値を所定の設定項目に対して入力すればよいので、簡単且つ確実に保護モードを解除することができる。総じて本発明の制御装置によれば、一般のユーザが間違うことなく、且つ専門の担当員が簡単且つ確実に保護モードを解除して所要の書換等を行うことが可能となる。又、本発明の制御装置によれば、使用していない設定項目にその動作に関係ないエラー入力を行うので、その動作中でも運転に支障をきたすことがない。これにより、装置の運転中に保護モードの解除及び設定値の書換等を行うことができる。
【００１３】
【発明の実施の形態】
以下、本発明の実施の形態について添付図面を参照しながら説明する。
【００１４】
図１は、給水装置の制御盤の一構成例を示す。図に示すように、この制御盤には表示装置１１と、各種のボタン１２〜２２とを備えている。ここで、ボタン１２は「運転」ボタンであり、ボタン１３は「停止」ボタンである。そして、この装置の運転中は電源表示ランプ２３が点灯する。
【００１５】
ボタン１４は、「ポンプ選択」ボタンであり、運転対象のポンプを選択する。ボタン１５は、「モード選択」ボタンであり、自動運転又は手動運転のモードを選択する。ボタン１６は、「流入圧力」と「吐出圧力」の表示を変更するためのボタンである。ボタン１７は、「設定」ボタンであり、これにより各種設定項目の設定が可能となる。ボタン１８は、「確認」ボタンであり、上述した各種設定項目における設定値を確定するためのボタンである。ボタン１９と２０は、それぞれ設定値の数値を上昇させる又は下降させるためのボタンである。ボタン２１と２２は、それぞれ「ブザー停止」と「警報解除」ボタンであり、異常時のブザー音の停止及び警報信号の発令を解除するためのボタンである。
【００１６】
表示装置１１には、各種の運転状態が表示されている。表示２５は、運転対象のポンプが現在「交互」運転状態であることを示している。表示２６は、「受水槽」が「Ｎｏ．１」を使用していることを示している。表示２７は、ポンプの運転状態が「自動運転」であるか、「手動運転」であるかを示している。表示２８は、「受水槽」の状態が「正常」であることを示している。受水槽が満水、或いは減水状態にある場合には、それぞれ「満水」、「減水」と表示される。表示３０には「吐出圧力」とその数値、例えば「８８．８ＭＰａ」と表示される。表示３１は、「Ｎｏ．１ポンプ、４０Ｈｚ」と表示され、Ｎｏ．１ポンプの現在の運転周波数が表示される。表示３２は、「Ｎｏ．２ポンプ、０Ｈｚ」と表示され、Ｎｏ．２ポンプの現在の運転周波数が表示される。即ち、この場合はＮｏ．２ポンプが停止状態であることを示している。
【００１７】
次に、この制御盤の各種設定項目の設定について説明する。この装置においては、設定ボタン１７を例えば数秒間押すことで設定モードに切り替わる。この時、表示部３１には、図２に示すように設定項目が表示され、表示部３２はその設定値が表示される。そして、設定項目としては表２に示すようなユーザ側の不特定者で設定すべき項目の選択が可能である。
【００１８】
【表２】
0004480860.tif 000003
【００１９】
このようにユーザ側で設定可能な項目については、設定ボタン１７を押すことでユーザ側で容易に書換等をすることができる。そして、設定ボタン１７を押しただけでは、変更可能な項目として保護モードが設定された設定項目は表示されない。従って、これによりユーザ側では保護モードが設定された設定項目を表示して変更することはできない。
【００２０】
保護モードを解除してすべての設定項目を表示するためには、この制御盤においては設定可能な項目の設定値にエラー入力を行う。即ち、この制御盤においては設定ボタン１７を押すことで設定可能な項目Ｐ０１，Ｐ０２とが上下ボタン１９，２０を押すことで選択可能である。ここで、予め保護モードを解除する設定コードとエラー入力値を決定しておく。これは、例えば設定コードとしてＰ０２を選択（「運転ポンプ台数」を選択）する。この場合には、１又は２を設定値として入力することが正常であるが、エラー入力として例えば３を入力する。そして、確認ボタン１８を押す。設定項目Ｐ０２はポンプ運転台数のパラメータであり、入力値は１又は２のみでそれ以外の数字を入力するとエラーを示すため、ブザーが短く４回鳴り設定値は変化しない。本発明の保護モードの解除方法では、このように、例えば「３」、「４」、「５」、「６」と予め決められた数字を決められた順番に入力して、それぞれ４回づつ、エラー入力したときのブザーを鳴らす。そして、制御盤の制御装置において所定のエラー入力が入力されたことを確認して、これにより保護モードが解除される。設定モードを抜けて正常な表示モードに戻ると、再び、もとどおり保護がかかるようにしておく。
【００２１】
上述した実施形態においては、予め定めた４個の数値をエラー入力する例について説明したが、この数値は１個又は２個にしても勿論よい。但し、エラー入力回数の多い方が、それだけ誤入力という問題が少なくなる。又、上述した例においては、設定項目が運転ポンプ台数の入力値をエラー入力する例について説明したが、この設定項目はエラー入力可能な項目であれば何でも良い。
【００２２】
このように所定のエラー入力値を所定回数入力することで、保護モードが解除される。これにより表３に示すようなすべての設定項目が表示されてその変更が可能となる。
【００２３】
【表３】
0004480860.tif 000004
【００２４】
尚、表３に示した例では設定可能な項目の極一部を表示しただけであるが、一般に給水装置等においては１００項目以上の設定項目を有することが普通である。そして、保護モードが解除され、その書換が可能となると、ポンプ駆動用モータの定格電流値やポンプの温度保護設定値等を任意に変更することが可能となる。設定値の変更は、設定項目をボタン１９，２０により選択し確認ボタン１８を押し、設定値に所要の数値を入力し、確認ボタン１８を押すことでその数値が確定される。
【００２５】
又、上述した例は保護モードの階層が一層であるが、複数階層にするようにしても勿論よい。即ち、設定コードの全項目の内、専門サービス要員等の特定者（１）でないと保護モードを解除できない項目、ユーザ側のメンテナンス要員等の特定者（２）が保護モードを解除できる項目、及びユーザが任意に変更可能な項目と３層にすることができる。この場合は、専門サービス要員等の特定者（１）には、例えば４桁のエラー入力を必要とし、メンテナンス要員等の特定者（２）には、例えば２桁のエラー入力を行うようにすることができる。即ち、エラー入力の内容を専門サービス要員（特定者１）とメンテナンス要員（特定者２）で変えておいて、それぞれに別のエラー数値を入力することで、別個の項目の保護モードの解除を行うことができる。
【００２６】
このように、保護モードの解除に当たり、設定項目の設定値にエラー入力するので、その設定値が変更されることがない。このため、制御装置の運転中にエラー入力を行い、ブザーが鳴っても運転に支障をきたすことはない。このため、本方法によれば装置の運転中に保護モードがかかった設定項目の保護モードを解除し、その設定値の変更が可能となる。又、同様なエラー入力の内容により、運転中では解除できないような設定項目を設けることもできる。更に、別の設定項目で所要のエラー入力の登録ができるようにしておけば、サービス要員、メンテナンス要員等の特定者がエラー入力の内容を変更することが出来、より安全になる。
【００２７】
尚、以上の実施形態においては、ポンプを用いた給水装置の制御装置における保護モードの解除例について説明したが、各種制御装置に同様に適用が可能であることは勿論である。
【００２８】
【発明の効果】
保護モードの解除にエラー入力を利用したので、このような解除方法を知らされていない不特定者には保護モードの設定を解除することが困難である。これにより、ユーザ側の不特定者が誤って保護モードを解除して、不適当な設定値に変更してしまうという問題が確実に防止される。一方で、メンテナンス要員等の保護モードの解除を必要とする特定者にとって、極めて容易に且つ確実に保護モードを解除できる。
又、従来は制御装置の運転停止中でないと各種設定項目の保護モードの解除が困難であったが、上述した本発明によれば装置の運転中であっても安全確実に保護モードを解除して、設定値の変更が可能となる。
【図面の簡単な説明】
【図１】本発明の実施形態の制御盤の構成例を示した図である。
【図２】図１における設定項目及び設定値の表示例を示した図である。
【符号の説明】
１０        制御盤
１１        表示装置
１７        設定ボタン
１８        確認ボタン
３１        設定項目表示部
３２        設定値表示部
【図１】
0004480860.tif 000005
【図２】
0004480860.tif 000006